(57)【特許請求の範囲】
【請求項１】
掌握可能なシリンダからなり、その先端側に水の吸入部を有するフロントボディと、前記フロントボディとほぼ同径で別体に成形され、掌握可能なシリンダからなり、その基端側に水の注出口を有し、前記フロントボディとは軸方向に直列に、かつ前記フロントボディに対して軸方向に相対運動可能に配置されたリヤボディと、前記フロントボディのシリンダ内を摺動可能に形成され、その先端面に水の流入口を、その基端面にカートリッジ挿入用の開口をそれぞれ有し、前記リヤボディに対し同芯的に着脱可能に装着されたピストンと、先端面に水の流入口を有し、基端面に水の流出口を有し、前記ピストン内に嵌合可能なカートリッジケースに浄化剤を充填するとともに前記水の流入口および流出口にフィルタを配設した一体構造からなり、前記ピストン内に着脱可能に装填された浄化カートリッジと、前記水の吸入部に配置されて前記ピストンの進退動作に応じて開閉する開閉弁とを備えた携帯用浄水器。
【請求項２】
フロントボディ先端側の水の吸入部およびリヤボディ基端側の水の注出口にそれぞれ連結可能なチューブを備えている請求項１記載の携帯用浄水器。
【請求項３】
フロントボディに水の吸入部および／またはこれに連結するチューブを閉塞可能なフロントキャップを一体的に備え、リヤボディに水の注出口および／またはこれに連結するチューブを閉塞可能なリヤキャップを一体的に備えている請求項１または２記載の携帯用浄水器。
【請求項４】
開閉弁は水の吸入部の水の流路上に画成された吸水室と、前記吸水室内を移動可能に配置された球体とを備え、ピストンの進退動作による前記球体の変位により前記水の流路を開閉する請求項１から３のいずれかに記載の携帯用浄水器。
【請求項５】
リヤボディおよびフロントボディの表面に滑り止め用の凹凸面を備えている請求項１から４のいずれかに記載の携帯用浄水器。
【請求項６】
フロントボディまたはリヤボディにクリップを備え、全体がペン形に構成されている請求項１から５のいずれかに記載の携帯用浄水器。
【請求項７】
ピストンを、リヤボディに代えて、フロントボディに装着し、リヤボディを水の吸入側とし、フロントボディを水の注出側として各部を反転した構成に変えた請求項１から６のいずれかに記載の携帯用浄水器。
【発明の詳細な説明】
【０００１】
【産業上の利用分野】
本発明は、携帯性に優れ、水道設備のない地域や水道事情の悪い地域で、あるいは災害などにより水道水の供給が断たれたような非常時の場所で、川や池、あるいは風呂等の水の浄化に使用する携帯用浄水器に関する。
【０００２】
【従来の技術】
この種、従来の携帯用浄水器の一つに、ストロー式の浄水器が市販品として既に提供されている。
【０００３】
このストロー式の浄水器は、先端に水の吸入口を有する細長い円筒形の本体と、前記本体の基端側に連続するストロー形の水の吸出口とを備え、本体内部に浄化剤を充填するとともに、水の吸入口および吸出口にフィルタを配設した構造になっている。
【０００４】
その使い方は簡単で、水源からコップ等の容器に水を取り、これに除菌剤により除菌を施してから、浄水器先端側の吸水口を水の中に入れ、ストロー形の水の吸出口を口にくわえて吸引することにより、水が吸入口から本体内に吸い込まれて浄化剤により浄化され、その浄化した水を吸出口から吸飲する。
【０００５】
なお、この種の浄水器では、水の浄化に際して、水源から採取した水を予め除菌しておく必要があり、これに除菌剤が用いられている。したがって、浄水器に付属して除菌剤が携行される。除菌剤は、水の量に応じて適量が決められていることから、除菌剤の収納容器に計量器が備えられている。この種の容器は一般に、上面に開口を有し、その周囲にねじを備えた容器本体が用いられ、容器本体の開口内に圧入される内蓋と、容器本体にその開口周囲のねじに螺合して被着される外蓋とを備え、内蓋に計量スプーンが一体に設けられている。その使用に際して、外蓋および内蓋を容器本体から取り外し、内蓋に備えた計量スプーンで容器本体内に収容された除菌剤を掬い取り、そのすりきり一杯を計量単位として水の中に投入する。
【０００６】
【発明が解決しようとする課題】
しかしながら、上記従来の浄水器では、本体基端側の水の吸出口を口でくわえて吸引するため、最初の吸い出しのときに出てくる浄化剤の粉を口に含んでしまい、安心して吸飲することができないという問題があった。
【０００７】
また、口での吸い出しのため、一人専用であり、複数人の使用に適していないという問題があった。
【０００９】
本発明は、このような従来の問題を解決するものであり、携帯性の一層の向上を図り、簡単な手動操作により、水源の水を連続的に浄化することができるようにして、その使用上浄化剤を口に含むようなことがなく、また浄化した水を複数人に供給することのできる携帯用浄水器を提供することを目的とする。
【００１１】
【課題を解決するための手段】
上記前者の目的を達成するために、本発明による携帯用浄水器は、掌握可能なシリンダからなり、その先端側に水の吸入部を有するフロントボディと、フロントボディとほぼ同径で別体に成形され、掌握可能なシリンダからなり、その基端側に水の注出口を有し、フロントボディとは軸方向に直列に、かつフロントボディに対して軸方向に相対運動可能に配置されたリヤボディと、フロントボディのシリンダ内を摺動可能に形成され、その先端面に水の流入口を、その基端面にカートリッジ挿入用の開口をそれぞれ有し、リヤボディに対し同芯的に着脱可能に装着されたピストンと、先端面に水の流入口を、基端面に水の流出口をそれぞれ有し、ピストン内に嵌合可能なカートリッジケースに浄化剤を充填するとともにその水の流入口および流出口にフィルタを配設した一体構造からなり、ピストン内に着脱可能に装填された浄化カートリッジと、水の吸入部に配置されてピストンの進退動作に応じて開閉する開閉弁とを備えたものである。
【００１２】
本発明はまた、上記構成において、フロントボディ先端側の水の吸入部およびリヤボディ基端側の水の注出口にそれぞれ連結可能なチューブを備えたものである。
【００１３】
本発明はまた、上記各構成において、フロントボディに水の吸入部および／またはこれに連結するチューブを閉塞可能なフロントキャップを一体的に備え、リヤボディに水の注出口および／またはこれに連結するチューブを閉塞可能なリヤキャップを一体的に備えたものである。
【００１４】
本発明はまた、上記各構成において、開閉弁が水の吸入部の水の流路上に画成された吸水室と、吸水室内を移動可能に配置された球体とを備え、ピストンの進退動作による球体の変位により水の流路を開閉するようにしたものである。
【００１５】
本発明はまた、上記各構成において、リヤボディおよびフロントボディの表面に滑り止め用の凹凸面を備えたものである。
【００１６】
本発明はまた、上記各構成において、フロントボディまたはリヤボディにクリップを備え、全体をペン形に構成したものである。
【００１７】
本発明はまた、ピストンを、リヤボディに代えて、フロントボディに装着し、リヤボディを水の吸入側とし、フロントボディを水の注出側として各部を反転した構成に変えたものである。
【００２０】
【作用】
本発明の携帯用浄水器は、上記各構成により、次のように使用され、次のような作用を有する。
【００２１】
その使用に際して、まず、一方の手でフロントボディを持ち、その水の吸入口を水源の中に入れる。次いで、他方の手でリヤボディを握り、これをフロントボディから引き離していくと、フロントボディ内においてピストンの後退動作により水の吸入部の開閉弁が開き、水が吸入され、フロントボディのシリンダ内に吸入されていく。ある程度水を吸入したところで、今度はリヤボディをフロントボディに押し戻していくと、フロントボディ内においてピストンの前進動作によりその加圧で開閉弁を閉じると同時に、吸入された水がピストン先端面の水の流入口を通じ、浄化カートリッジの水の流入口からフィルタを通して浄化カートリッジ内部に進入し、その浄化剤により浄化されて、浄化カートリッジ基端面の水の流出口からフィルタを通して流出され、リヤボディの水の注出口から浄化水が注出される。この浄化水をバケツやコップ等の容器で受ける。
【００２２】
このように、本発明によれば、手操作によりフロントボディに対してリヤボディを押し引きする簡単な動作により、水源の水を連続的に吸入浄化し、注出することができる。
【００２３】
また、浄化剤およびフィルタを一体化してカートリッジ式にしていることにより、浄化剤やフィルタの浄化能力が低下したときに、その交換を簡単に行うことができる。
【００２４】
また、本発明においては、フロントボディの水の吸入部およびリヤボディの水の注出口に連結用のチューブを備えることにより、これらチューブを水源からの水の採取形態や浄化水の供給形態に応じて用いることで、水の採取や供給を容易に行うことができる。
【００２５】
また、本発明においては、フロントキャップ、リヤキャップを一体的に備えることにより、その不使用時、フロントボディの水の吸入部またはこれに連結したチューブと、リヤボディの水の注出口またはこれに連結したチューブとをそれぞれ塞ぐことができ、浄水器内部を保護することができる。また、各キャップを各ボディに一体的に備えることにより、各キャップの取り付け、取り外しに際してその紛失を防止することができる。
【００２６】
また、本発明においては、開閉弁に、水の吸入部の水の流路上に画成された吸水室と、吸水室内を移動可能に配置された球体とを用いることにより、簡単な構造で、水の流路の開閉を円滑に行うことができる。
【００２７】
また、本発明においては、リヤボディおよびフロントボディの表面に凹凸面状の滑り止めを備えることにより、各ボディの握りを確実にし、ピストンの押し引き操作を容易かつ確実に行うことができる。
【００２８】
また、本発明においては、フロントボディまたはリヤボディにクリップを設け、全体をペン形に構成することにより、衣服のポケットやベルトに簡単に固定できるとともに、装身具的外観を得ることができ、携帯性の一層の向上を図ることができる。
【００２９】
また、本発明においては、ピストンをフロントボディに装着し、フロントボディを水の注出側とし、リヤボディを水の吸入側として各部を反転した構成に変えてもよく、同様の作用効果を得ることができる。
【００３２】
【実施例】
まず、本発明の一実施例による携帯用浄水器の構成について図１を用いて説明する。図１において、１は携帯用浄水器のフロントボディであり、片手で掌握可能なシリンダ１０からなり、その先端側に水の吸入部２を備え、この水の吸入部２には開閉弁３が配設されている。なお、これら各部は抗菌剤入りの合成樹脂剤により形成されている。
【００３３】
このフロントボディ１に用いるシリンダ１０は、図２に示すように、その先端側となる一端面に口細に突出する連結口部１１を備え、その周面にねじ１２が設けられている。一方、その他端面は開放面１３になっている。また、シリンダ１０の表面は、これを掌握する際の滑り止め１４として、凹凸面状に形成されている。
【００３４】
水の吸入部２は、シリンダ１０先端の連結口部１１と、この連結口部１１に対しそのねじ１２に螺合して被着される水吸引口２１とからなる。水吸引口２１は、図３に示すように、先端の口細の吸引口部２１１と、これにスカート状に広がる被着部２１２とを備え、被着部２１２内部が吸引口部２１１側の小径部２１３と開放端側の大径部２１４とからなり、大径部２１４の内周にねじ２１５が設けられている。また被着部２１２の終端外周にその円周方向に沿って凹凸状のつまみ部２１６を備え、水吸引口２１をそのつまみ部２１６に指を添えてつまみ、内周のねじ２１５を連結口部１１のねじ１２を合わせて螺着するようになっている。
【００３５】
開閉弁３は、水の吸入部２の水の流路上に画成された吸水室３１と、この吸水室３１内を移動可能に配置されたボール３２とを備えている。吸水室３１は２つのボールホルダ３３、３４により組み立てられ、その一方のボールホルダ３３は、図４に示すように、シリンダ１０の連結口部１１内に嵌合可能なパイプ材からなり、その一端側に連結口部１１周縁に係合可能なフランジ３３１を有し、このフランジ３３１側の開口３３２に対して、その反対側の開口３３３が小径になっている。また、図４に示すように、その周面の相互に対向する２箇所に、周面の中間部から軸方向に向け小径の開口３３３にかけて水を逃がすためのスリット３３４が形成されている。これに対して、その他方のボールホルダ３４は、図５に示すように、水吸引口２１の内部においてその小径部２１３に嵌合可能なパイプ材からなり、その一端側に小径部２１３と大径部２１４との段差部分に係合可能なフランジ３４１を有し、このフランジ３４１側の開口３４２に対して、その反対側の開口３４３が小径になっている。そして、図１に示したように、一方のボールホルダ３３が連結口部１１内に、他方のボールホルダ３４が水吸引口２１内にそれぞれ嵌め込まれ、水吸引口２１を連結口部１１に結合することにより、各ボールホルダ３３、３４の各フランジ３３１、３４１が相互に衝接されてそこに吸水室３１が形成される。一方、ボール３２に各ボールホルダ３３、３４のフランジ３３１、３４１側の開口３３２、３４２の径よりも小さく、その反対側の開口３３３、３４３の径よりも大きいものを用いている。
【００３６】
また、４はフロントボディ１の水の吸入部２を閉塞可能なフロントキャップであり、図６に示すように、シリンダ１０の連結口部１１に被着可能なキャップ部４１とベルト部４２とリング部４３とを一体に備えている。また、キャップ部４１の頭部には少し小径のチューブ閉塞用のハット部４４が連続して形成されている。このフロントキャップ４は、そのリング部４３を連結口部１１の回りに配置してシリンダ１０と水吸引口２１との間に固定され、フロントボディ１に一体的に装着されている。
【００３７】
図１において、５はフロントボディ１に対して別体のリヤボディであり、片手で掌握可能なシリンダ５０からなり、その基端側に水の注出口５１を有している。このリヤボディ５にピストン６が装着され、フロントボディ１に対して直列に、かつその軸方向に相対運動可能に配置されている。なお、これら各部は抗菌剤入りの合成樹脂材により形成されている。
【００３８】
リヤボディ５のシリンダ５０は、フロントボディ１に用いたシリンダ１０と同径で、軸方向の長さをフロントボディ１に比して少し短く成形され、図７に示すように、その基端側になる一端面に水の注出口５１を口細に突出して設け、さらにその周囲に周壁部５２を設けている。これに対し、その他端は、後述するピストン６の挿入口５３として開放され、その内周面にねじ５４が設けられている。また、このシリンダ５０の表面には、その中間部分にこれを掌握する際に滑り止め５５として機能する凹凸面が形成され、さらにその一部に鉤形に突出するクリップ５６が一体に設けられている。
【００３９】
また、図１中、７はリヤボディ５の水の注出口５１を閉塞可能なリヤキャップであり、フロントキャップ４と同様な構成からなる。このリヤキャップ７は、そのリング部４３を水の注出口５１周囲の周壁部５２に圧入により嵌め込まれ、リヤボディ５に一体的に装着されている。
【００４０】
ピストン６は、フロントボディ１のシリンダ１０内を摺動可能な外径を有し、図８に示すように、その先端面に水の流入口６１がシリンダ１０の連結口部１１とほぼ同径の小穴状に形成され、その後端面が後述する浄化カートリッジ８挿入用の開口６２として開放されている。さらに、その周面には、先端側にＯリング用の取付溝６３が形成されてそこにＯリング６４が取り付けられ、基端側にリヤボディ５との連結部分としてねじ６５が形成されている。
【００４１】
このピストン６には浄化カートリッジ８により浄化剤およびフィルタが一体的に備えられている。浄化カートリッジ８は、図９に示すように、ピストン６内に嵌合可能な、ピストン６よりも長いパイプ材からなり、その先端側になる一端面に水の流入口８２を有し、その他端面に水の流出口８３を有するカートリッジケース８１を用い、このカートリッジケース８１内に浄化剤８４を充填され、両端の水の流入口８２および流出口８３にフィルタ８５がリング状のフィルタ押さえ部材８６により固定して配置されている。８７はＯリングであり、カートリッジケース８１の先端側に形成した取付溝８８に嵌め込まれている。８９はそれぞれキャップであり、その使用前の常態として水の流入口８２および流出口８３を塞ぎ、浄化剤８４を保護している。したがって、この浄化カートリッジ８を使用するときに、カートリッジケース８１から各キャップ８９を取り外す。なお、浄化剤８４に、銀塩、活性炭、コーラルサンゴ等を用いている。
【００４２】
このような構成の浄化カートリッジ８がピストン６内に挿入され、ピストン６の開口６２からはみ出た部分の上にリヤボディ５を被せてそのねじ５４をピストン６周面基端側のねじ６５に螺合連結することにより、ピストン６が浄化カートリッジ８を内蔵した状態でリヤボディ５に対し同芯上に一体的に装着される。
【００４３】
そして、ピストン６をフロントボディ１のシリンダ１０内に挿入してフロントボディ１とリヤボディ５とを衝接させて連続的に合わせることで、図１に示すような、所謂ペン形の構成を採り、これを不使用時の通常の態様とする。
【００４４】
図１０において、９はこの浄水器の付属品として用いられる透明チューブであり、フロントボディ１の水吸引口２１の吸引口部２１１と、リヤボディ５の水の注出口５１とに圧入により連結可能になっている。
【００４５】
次に、上記実施例における浄水器の使用方法およびその作用効果について図１を参照しながら説明する。なお、この使用方法においては、バケツなどの比較的大きな容器を２個用意し、その一方の容器に水源から採取した水を収容し、これに予め適量の除菌剤を投入し、よく混ぜて除菌を施しておく。他方の容器は浄化した水の収容用として用いる。
【００４６】
そしてまず、この浄水器の両端、水吸引口２１と水の注出口５１とにそれぞれ付属品の透明チューブ９を連結し、水の吸入部２側の透明チューブ９を一方の容器に収容した浄化前の水の中に投入する一方、水の注出口５１側の透明チューブ９をもう一方の容器に投入する。続いて、一方の手でフロントボディ１を握り持ち、他方の手でリヤボディ５を握って、これをフロントボディ１から引き離していくと、フロントボディ１におけるピストン６の後退動作により水の吸入部２の開閉弁３が開き、すなわち吸水室３１でボール３２が連結口部１１側のボールホルダ３３側に移動して、その小径の開口３３３を塞ぐ一方、水吸引口２１の小径の開口３４３を開いて、水吸引口２１の吸引口部２１１から水が吸水室３１に吸入され、連結口部１１側のボールホルダ３３に形成されたスリット３３４を通じてフロントボディ１のシリンダ１０内に送り込まれていく。
【００４７】
ある程度水が吸入されたところで、今度はリヤボディ５をフロントボディ１に押し戻していくと、ピストン６の前進動作の圧力で開閉弁３が閉じ、すなわち吸水室３１でボール３２が水吸引口２１側に移動してその小径の開口３４３を塞ぎ、これにより、吸入された水がピストン６先端面の水の流入口６１を通じて浄化カートリッジ８の水の流入口８２からフィルタ８５を通してカートリッジケース８１内部に進入し、浄化剤８４により浄化され、その基端面の水の流出口８３からフィルタ８５を通して送り出される。そして、リヤボディ５の水の注出口５１から浄化水が流出され、透明チューブ９を通って容器に注出される。
【００４８】
浄水器の不使用時にあっては、フロントボディ１の水吸引口２１の吸引口部２１１をフロントキャップ４のキャップ部４１を被せて塞ぎ、リヤボディ５の水の注出口５１をリヤキャップ７のキャップ部４１を被せて塞ぐことで、各ボディ１、５内の水の流路を外部と遮断して、その水の流路を保護する。また、水吸引口２１、水の注出口５１にそれぞれ透明チューブ９を連結したままであれば、各キャップ部４１頭部のハット部４４をそれぞれ透明チューブ９の口に圧入することで同様に、各ボディ１、５内の水の流路を外部と遮断して、その水の流路を保護する。
【００４９】
このように上記実施例によれば、手操作によりフロントボディ１に対してリヤボディ５を押し引きする簡単な動作で、水源の水を連続的に吸入浄化することができる。したがって、この浄水器から注出された水をバケツに貯めたり、コップに入れたりすることができるので、浄化剤の粉を知らずに口に含むようなことがなく、安心して水を飲むことができる。また、水源の水を連続して浄化できることにより、浄化した水を複数人に供給することができる。
【００５０】
また、上記実施例によれば、フロントボディ１にフロントキャップ４を備え、リヤボディ５にリヤキャップ７を備えているので、使用しないときに水の吸入部２や注出口５１を塞いで浄水器内部を保護することができ、各キャップ４、７を各ボディ１、５に一体的に備えていることにより、各キャップ４、７の取り付け、取り外しに際してその紛失を防止することができる。
【００５１】
また、上記実施例によれば、フロントボディ１先端側の水の吸入部２およびリヤボディ５基端側の水の注出口５１に透明チューブ９を連結するようにしているので、これらの透明チューブ９を、水源からの水の採取形態や浄化水供給先への送り出し形態に応じて選択的に用いることで、水の採取や浄化水の供給を円滑かつ確実に行うことができる。
【００５２】
また、上記実施例によれば、ピストン６の内部に嵌合可能なカートリッジケース８１に浄化剤８４とフィルタ８５を一体に組み込んだ浄化カートリッジ８を用い、これをピストン６内に装填しているので、浄化剤８４や各フィルタ８５の浄化能力が低下した場合に、その取り替え作業を素早く行うことができる。
【００５３】
また、上記実施例によれば、開閉弁３に、水吸引口２１に配置したボールホルダ３４と連結口部１１に配置したボールホルダ３３とで画成された吸水室３１と、１個のボール３２とで構成した簡単な弁構造を用いていることにより、その開閉が円滑であり、水の吸入および送り出しを容易かつ確実に行うことができる。
【００５４】
また、上記実施例によれば、フロントボディ１およびリヤボディ５の表面に凹凸状の滑り止め１４、５５を設けていることにより、各ボディ１、５のグリップ感が良好で、ピストン６の進退動作を円滑に行うことができる。
【００５５】
また、上記実施例によれば、リヤボディ５にクリップ５６を備え、全体をペン形に構成したことで、衣服のポケットやベルトに簡単に固定できるとともに、道具といったイメージをなくし、装身具性を持たせた良好な外観を得ることができ、携帯性の一層の向上を図ることができる。
【００５６】
また、この浄水器は、既に説明してあるように、全体が組み立て式であるため、分解が可能であり、浄化カートリッジ８にあっては交換を要するものの、その他各部を個々に洗浄することができ、そのメンテナンスが簡単で、長期間に亘って使用することができる。
【００５７】
また、本実施例においては、ピストン６を、リヤボディ５に代えて、フロントボディ１に装着し、リヤボディ５を水の吸入側とし、フロントボディ１を水の注出側として各部を反転した構成に変えてもよく、水の吸入、注出方向が反対になることが異なり、上記実施例と同様の作用効果を得ることができる。
【００５８】
次に、本発明の一実施例による除菌剤の収納容器について図１１を用いて説明する。図１１において、１１０は容器本体であり、上面に開口１１１を有し、開口１１１の周囲にねじ１１２が設けられている。１１３はその蓋であり、容器本体１１０の上面開口１１１を被覆可能なキャップ形で、その内周面に図示されないねじを有し、その内側面に計量スプーン１１４が一体的に備えられている。この計量スプーン１１４は、図１２に示すように、細長い板材からなり、その先端に計量用の溝１１５が形成され、その基端部に薄板状の固定板１１６が一体に備えられている。固定板１１６の裏面には、図１１に示したように、両面接着テープ１１７がその片側接着により固定され、もう一方の片側接着面が剥離紙１１８により保護されている。初期の態様では、計量スプーン１１４を容器本体１１０内に挿入してその固定板１１６を容器本体１１０の開口１１１に乗せ、その上から蓋１１３を絞め込んでいる。
【００５９】
次に上記実施例の収納容器の使用方法およびその作用効果ついて説明する。この収納容器に除菌剤を収納する場合、まず、容器本体１１０からを蓋１１３を廻して取り外し、次いで容器本体１１０上面の開口１１１上に乗っている計量スプーン１１４の固定板１１６をつまみ上げて計量スプーン１１４を抜き取る。次に計量スプーン１１４の固定板１１６の裏面に貼付されている両面接着テープ１１７から剥離紙１１８を剥がし取り、その接着面を蓋１１３の内側面に合わせて接合し、計量スプーン１１４と蓋１１３とを一体化する。
【００６０】
除菌剤を取り扱う場合は、収納容器から蓋１１３を取り外し、この蓋１１３を把手代わりに用いて計量スプーン１１４を持ち、容器本体１１０から除菌剤を必要な量だけ掬い取り、水の中に投入する。計量は計量スプーン１１４先端の計量用の溝１１５にすりきり一杯を計量単位とする。
【００６１】
このように、上記実施例によれば、容器本体１１から取り外した蓋１１３を持ったまま、蓋１１３に一体の計量スプーン１１４で除菌剤を掬うようにしているので、手を汚すことなしに、手早く除菌剤を計量し、取り出すことができる。また、計量スプーン１１４を蓋１１３の内側面に両面接着テープ１１７により固定するようにしているので、構造が簡単であり、コストの低減を図ることができる。
【００６２】
なお、計量スプーン１１４の蓋１１３の内側面に対する一体化には、溶着その他の接合手段を用いることができる。
【００６３】
【発明の効果】
上記実施例から明らかなように、本発明の携帯用浄水器によれば、手で握ることができる大きさに小型化しているので、極めて携帯性に優れ、また、簡単な手動操作で水源から水を連続的に吸入し、浄化して注出できるようにしているので、浄化した水をバケツやコップなどの容器に取ることができ、したがって、浄化剤の粉を口に含んでしまうようなことがなく、また、浄化した水を複数人に供給することができる。
【図面の簡単な説明】
【図１】（ａ）本発明の一実施例における携帯用浄水器の先端面図
（ｂ）同携帯用浄水器の側面断面図
【図２】同携帯用浄水器のフロントボディを構成するシリンダの拡大側面断面図
【図３】（ａ）同携帯用浄水器の水の吸入部を構成する水吸引口の拡大先端面図
（ｂ）同水吸引口の拡大側面断面図
【図４】（ａ）同携帯用浄水器の開閉弁の吸水室を構成する一方のボールホルダの拡大先端面図  （ｂ）同ボールホルダの拡大側面断面図
（ｃ）同ボールホルダの拡大後端面図
【図５】同携帯用浄水器の開閉弁の吸水室を構成する他方のボールホルダの拡大側面断面図
【図６】（ａ）同携帯用浄水器に備えたフロントキャップの拡大平面図
（ｂ）同フロントキャップの拡大側面断面図
【図７】（ａ）同携帯用浄水器のリヤボディを構成するシリンダの拡大側面断面図
（ｂ）同シリンダの拡大側面図
【図８】同携帯用浄水器のピストンの拡大側面断面図
【図９】同携帯用浄水器に用いる浄化カートリッジの拡大側面断面図
【図１０】同携帯用浄水器に用いる透明チューブの拡大斜視図
【図１１】本発明の一実施例における除菌剤の収納容器の拡大分解斜視図
【図１２】（ａ）同収納容器に用いる計量スプーンの拡大側面断面図
（ｂ）同計量スプーンの拡大平面図
【符号の説明】
１  フロントボディ
１０  シリンダ
１１  連結口部
１２  ねじ
１３  開放面
１４  滑り止め
２  水の吸入部
２１  水吸引口
２１１  吸引口部
２１２  被着部
２１３  小径部
２１４  大径部
２１５  ねじ
２１６  つまみ部
３  開閉弁
３１  吸水室
３２  ボール
３３  ボールホルダ
３３１  フランジ
３３２  開口
３３３  開口
３３４  スリット
３４  ボールホルダ
３４１  フランジ
３４２  開口
３４３  開口
４  フロントキャップ
４１  キャップ部
４２  ベルト部
４３  リング部
４４  ハット部
５  リヤボディ
５０  シリンダ
５１  水の注出口
５２  周壁部
５３  ピストンの挿入口
５４  ねじ
５５  滑り止め
５６  クリップ
６  ピストン
６１  水の流入口
６２  開口
６３  取付溝
６４  Ｏリング
６５  ねじ
７  リヤキャップ
８  浄化カートリッジ
８１  カートリッジケース
８２  水の流入口
８３  水の流出口
８４  浄化剤
８５  フィルタ
８６  フィルタ押さえ部材
８７  Ｏリング
８８  取付溝
８９  キャップ
９  透明チューブ
１１０  容器本体
１１１  開口
１１２  ねじ
１１３  蓋
１１４  計量スプーン
１１５  計量用の溝
１１６  固定板
１１７  両面接着テープ
１１８  剥離紙
【図１】
0003631818.tif 000002
【図２】
0003631818.tif 000003
【図３】
0003631818.tif 000004
【図４】
0003631818.tif 000005
【図５】
0003631818.tif 000006
【図６】
0003631818.tif 000007
【図７】
0003631818.tif 000008
【図８】
0003631818.tif 000009
【図９】
0003631818.tif 000010
【図１０】
0003631818.tif 000011
【図１１】
0003631818.tif 000012
【図１２】
0003631818.tif 000013